(57)【要約】【課題】活線挿抜による部品の損傷・破壊などを回避しつつ、メンテナンス作業の作業性を向上させることができる画像形成装置を提供する。【解決手段】メンテナンスモードに移行する場合、電源供給ユニット２０３からエンジン制御基板２０２への電源供給を遮断することにより、メンテナンス作業が行われる場合に、周辺機器を制御するエンジン制御基板への電源供給を遮断し、かつ表示部にマニュアルを表示することができるので、活線挿抜による部品の損傷・破壊などを回避しつつ、メンテナンス作業の作業性を向上させることができる。【選択図】        図２
2009223067.tif 000002
【特許請求の範囲】
【請求項１】
メンテナンスが必要なユニットまたは部品を有する周辺機器を制御するエンジン制御基板と、
表示部を制御して前記周辺機器が有するユニットまたは部品のメンテナンスマニュアルを前記表示部に表示する表示制御手段を備えたシステム制御基板と、
各基板への電源供給の導通／遮断を実行する電源供給部と、
前記周辺機器のメンテナンスを行うメンテナンスモードへ移行する場合、前記電源供給部を制御して、前記エンジン制御基板への電源供給を遮断する制御手段と、
を備えたことを特徴とする画像形成装置。
【請求項２】
前記制御手段は、さらに、待機状態において省電力化を図る省エネルギーモードに移行する場合、前記電源供給部を制御して、前記エンジン制御基板への電源供給を遮断することを特徴とする請求項１に記載の画像形成装置。
【請求項３】
前記画像形成装置を操作する操作部をさらに備え、
前記制御手段は、さらに、前記操作部に対して特定の操作が行われた場合に、前記メンテナンスモードに移行することを特徴とする請求項１または２に記載の画像形成装置。
【請求項４】
前記システム制御基板は、さらに、前記周辺機器の状態を示す周辺機器情報を記憶する第１不揮発性メモリを備え、
前記表示制御手段は、前記第１不揮発性メモリに記憶された前記周辺機器情報を参照してメンテナンスが必要なユニットまたは部品のメンテナンスマニュアルを前記表示部に表示することを特徴とする請求項１から３のいずれか一に記載の画像形成装置。
【請求項５】
前記制御手段は、さらに、前記周辺機器が有するユニットまたは部品がメンテナンスされた場合、前記第１不揮発性メモリに記憶された当該周辺機器の前記周辺機器情報を更新することを特徴とする請求項４に記載の画像形成装置。
【請求項６】
前記エンジン制御基板は、さらに、前記周辺機器情報のうち前記周辺機器が有するユニットまたは部品の部品使用履歴を記憶する第２不揮発性メモリを備え、
前記表示制御手段は、前記第２不揮発性メモリに記憶された前記部品使用履歴を参照してメンテナンスが必要なユニットまたは部品のメンテナンスマニュアルを前記表示部に表示することを特徴とする請求項５に記載の画像形成装置。
【請求項７】
前記第２不揮発性メモリに記憶された前記部品使用履歴を更新する更新手段をさらに備え、
前記第１不揮発性メモリは、さらに、メンテナンスされたユニットまたは部品のメンテナンス情報を記憶し、
前記更新手段は、前記メンテナンスモードの終了後、前記エンジン制御基板への電源供給が導通された際に、前記第１不揮発性メモリに記憶された前記メンテナンス情報を参照して、前記第２不揮発性メモリに記憶された前記部品使用履歴を更新することを特徴とする請求項６に記載の画像形成装置。
【請求項８】
前記メンテナンスマニュアルのマニュアルデータを記憶する外部記憶媒体をさらに備え、
前記制御手段は、前記外部記憶媒体に記憶された前記マニュアルデータが示す前記メンテナンスマニュアルを前記表示部に表示することを特徴とする請求項１から７のいずれか一に記載の画像形成装置。
【発明の詳細な説明】
【技術分野】
【０００１】
本発明は、画像形成装置に関するものである。
【背景技術】
【０００２】
複写機、ファックス、プリンタ、およびそれらの機能を備えた複合機等の画像形成装置は、多数の部品を備えている。そして、それらの部品は、各々に寿命を持っている。特に、画像形成動作に関わる作像部および定着部が有する部品の寿命は、画像形成装置本体の寿命よりも短い場合が多い。したがって、画像形成装置本体の寿命がくる前に、部品の寿命がきた場合には、メンテナンス作業（例えば、部品の交換など）が必要である。また、部品の寿命がきていない場合であっても、画像形成装置本体に何らかの異常が発生した場合には、その異常の原因となっている部品のメンテナンス作業が発生する。
【０００３】
従来、部品のメンテナンス作業を行う場合、サービスマンは、紙媒体に記録されたマニュアルを見ながらメンテナンス作業を行っていた。そのため、経験の浅いサービスマンでは作業に手間取り作業ミスが生じる可能性が非常に高かった。また、経験豊富なサービスマンでも近年の高機能化、複雑化する画像形成装置に対応するのは大変な労力が必要であった。
【０００４】
このような問題を解決するものとして、外部の情報処理装置から画像形成装置に関する情報を取得して表示させることにより、サービス管理を容易に行える画像形成装置が開示されている（特許文献１参照）。特許文献１にかかる画像形成装置では、通信回線を介して外部のサーバまたはホストコンピュータと接続し、接続されたサーバまたはホストコンピュータから画像形成装置に関する情報（マニュアルの内容、トラブルシューティング）を取得し、取得した情報を操作部ユニットの液晶パネルまたはＣＲＴディスプレイに表示することにより、サービス管理を容易に行うことができる。
【０００５】
【特許文献１】特開２００２−８４３８８号公報
【発明の開示】
【発明が解決しようとする課題】
【０００６】
ところで、画像形成装置が有するスキャナ、プロッタ等のエンジン部のユニットまたは部品のメンテナンス作業においては、活線挿抜が好ましくないものも存在する。よって、メンテナンス作業を行う場合には、当該画像形成装置の電源をオフしておく必要がある。しかしながら、上記特許文献１に記載された技術では、画像形成装置の電源がオフされると、マニュアルを画像形成装置のディスプレイに表示することができないので、ディスプレイに表示されたマニュアルを見ながらメンテナンス作業をすることができない、という問題がある。
【０００７】
本発明は、上記に鑑みてなされたものであって、活線挿抜による部品の損傷・破壊などを回避しつつ、メンテナンス作業の作業性を向上させることができる画像形成装置を提供することを目的とする。
【課題を解決するための手段】
【０００８】
上述した課題を解決し、目的を達成するために、請求項１にかかる発明は、メンテナンスが必要なユニットまたは部品を有する周辺機器を制御するエンジン制御基板と、表示部を制御して前記周辺機器が有するユニットまたは部品のメンテナンスマニュアルを前記表示部に表示する表示制御手段を備えたシステム制御基板と、各基板への電源供給の導通／遮断を実行する電源供給部と、前記周辺機器のメンテナンスを行うメンテナンスモードへ移行する場合、前記電源供給部を制御して、前記エンジン制御基板への電源供給を遮断する制御手段と、を備えたことを特徴とする。
【０００９】
また、請求項２にかかる発明は、請求項１にかかる発明において、前記制御手段は、さらに、待機状態において省電力化を図る省エネルギーモードに移行する場合、前記電源供給部を制御して、前記エンジン制御基板への電源供給を遮断することを特徴とする。
【００１０】
また、請求項３にかかる発明は、請求項１または２にかかる発明において、前記画像形成装置を操作する操作部をさらに備え、前記制御手段は、さらに、前記操作部に対して特定の操作が行われた場合に、前記メンテナンスモードに移行することを特徴とする。
【００１１】
また、請求項４にかかる発明は、請求項１から３のいずれか一にかかる発明において、前記システム制御基板は、さらに、前記周辺機器の状態を示す周辺機器情報を記憶する第１不揮発性メモリを備え、前記表示制御手段は、前記第１不揮発性メモリに記憶された前記周辺機器情報を参照してメンテナンスが必要なユニットまたは部品のメンテナンスマニュアルを前記表示部に表示することを特徴とする。
【００１２】
また、請求項５にかかる発明は、請求項４にかかる発明において、前記制御手段は、さらに、前記周辺機器が有するユニットまたは部品がメンテナンスされた場合、前記第１不揮発性メモリに記憶された当該周辺機器の前記周辺機器情報を更新することを特徴とする。
【００１３】
また、請求項６にかかる発明は、請求項５にかかる発明において、前記エンジン制御基板は、さらに、前記周辺機器情報のうち前記周辺機器が有するユニットまたは部品の部品使用履歴を記憶する第２不揮発性メモリを備え、前記表示制御手段は、前記第２不揮発性メモリに記憶された前記部品使用履歴を参照してメンテナンスが必要なユニットまたは部品のメンテナンスマニュアルを前記表示部に表示することを特徴とする。
【００１４】
また、請求項７にかかる発明は、請求項６にかかる発明において、前記第２不揮発性メモリに記憶された前記部品使用履歴を更新する更新手段をさらに備え、前記第１不揮発性メモリは、さらに、メンテナンスされたユニットまたは部品のメンテナンス情報を記憶し、前記更新手段は、前記メンテナンスモードの終了後、前記エンジン制御基板への電源供給が導通された際に、前記第１不揮発性メモリに記憶された前記メンテナンス情報を参照して、前記第２不揮発性メモリに記憶された前記部品使用履歴を更新することを特徴とする。
【００１５】
また、請求項８にかかる発明は、請求項１から７のいずれか一にかかる発明において、前記メンテナンスマニュアルのマニュアルデータを記憶する外部記憶媒体をさらに備え、前記制御手段は、前記外部記憶媒体に記憶された前記マニュアルデータが示す前記メンテナンスマニュアルを前記表示部に表示することを特徴とする。
【発明の効果】
【００１６】
本発明によれば、メンテナンスモードに移行する場合、メンテナンスが必要なユニットまたは部品を有する周辺機器を制御するエンジン制御基板への電源供給を遮断することにより、メンテナンス作業が行われる際に、表示部にメンテナンスマニュアルを表示することができるので、活線挿抜による部品の損傷・破壊などを回避しつつ、メンテナンス作業の作業性を向上させることができる、という効果を奏する。
【発明を実施するための最良の形態】
【００１７】
以下に添付図面を参照して、この発明にかかる画像形成装置の最良な実施の形態を詳細に説明する。以下の実施の形態では、本発明の画像形成装置をデジタルカラー複写機に適用した例を示す。但し、デジタルカラー複写機に限られず、プリンタ、ファクシミリ、スキャナ機能やコピー、ファックス、プリンタなどの画像処理を行うものであれば、本発明を適用することができる。
【００１８】
（第１の実施の形態）
図１は、本実施の形態にかかるデジタルカラー複写機の概略構成を示す図である。本実施の形態にかかるデジタルカラー複写機１は、給紙部２、原稿搬送部３、原稿読み取り部２３、および画像形成部２０を備えて構成される。
【００１９】
原稿搬送部３は、原稿台３２に画像面を上にして置かれた原稿は、図示しない操作部上のスタートキーが押下されると、コンタクトガラス３１上の所定の位置に給送される。コンタクトガラス１０５上の原稿は、原稿読み取り部２３によって画像情報が読み取られた後に、排紙台３３上に排出される。
【００２０】
画像形成部２０には、中間転写ベルト２５が設けられており、その周りには４個の感光体ドラム２６Ｙ，２６Ｍ，２６Ｃ，２６Ｋが並べて配置されている。各感光体ドラムの周りには、各感光体ドラム表面を帯電処理する各帯電装置６２と、各感光体ドラム表面に形成された静電潜像を各色のトナーで可視像化する各現像装置６３と、その各感光体ドラム上のトナー像（可視像）を中間転写ベルト２５上に転写した後に感光体ドラム上に残ったトナーを回収する各クリーニング装置６４をそれぞれ設けている。この画像形成部２０の上部には、感光体ドラム表面上に静電潜像を形成する露光部を備えた露光装置７が設けられている。
【００２１】
各給紙トレイ２２は、それぞれ選択されたときに、給紙装置４により積載された転写紙Ｐを給紙する。給紙部２から搬送された転写紙Ｐは、レジストローラ部５２にていったん停止し、感光体ドラム上の画像と同期をとって再給紙され、転写ローラ部５１にて中間転写ベルト２５上のトナー像が転写紙Ｐに転写される。トナー像が転写された転写紙Ｐは定着装置２８にて定着処理され、最後に排紙収納部２４に排出される。
【００２２】
ここで、本実施の形態にかかるデジタルカラー複写機１において、給紙部２、原稿搬送部３、または画像形成部２０において異常が発生した場合の処理について簡単に説明する。
【００２３】
まず、給紙部２において異常が発生した場合の処理について説明する。給紙部２は、給紙部２から搬送される転写紙Ｐの「転写紙ジャム」を検知する。そして、デジタルカラー複写機１は、給紙部２から搬送された転写紙Ｐが途中で紙詰まりを起こした場合または給紙部２から搬送できなかった場合、「転写紙ジャム」として検知し、プリント動作を中断する。そして、デジタルカラー複写機１は、「転写紙ジャム」を引き起こした原因を分類し、「転写紙ジャム」の原因毎に「転写紙ジャム」発生履歴を残すものとする。
【００２４】
次に、原稿搬送部３において異常が発生した場合の処理について説明する。原稿搬送部３では、給紙部２と同様に、原稿台３２から排紙台３３上に排出されるまでの間に発生する「原稿ジャム」を検知する。そして、デジタルカラー複写機１は、原稿搬送部３内でジャムが検知された場合、「原稿ジャム」として検知し、スキャン動作を中断する。そして、デジタルカラー複写機１は、「原稿ジャム」を引き起こした原因を分類し、「原稿ジャム」の原因毎に「原稿ジャム」発生履歴を残すものとする。
【００２５】
なお、特定の原因の「転写紙ジャム」または「原稿ジャム」が多発する場合、サービスマンは、その原因に関わるユニットまたは部品(給紙コロ、ローラー、ソレノイド、センサ)の「転写紙ジャム」発生履歴または「原稿ジャム」発生履歴をチェックし、必要に応じてユニットまたは部品のメンテナンス作業（交換、整備等）を行わなければならない。
【００２６】
次に、画像形成部２０において異常が発生した場合の処理について説明する。画像形成部２０は、モータのロック、高圧出力の異常、各種センサから取得した値の異常を検知する。そして、デジタルカラー複写機１は、異常が発生した際、サービスマンコール警告を図示しない操作パネルの画面上に表示し、プリント動作を中断する。そして、デジタルカラー複写機１は、異常を引き起こした原因を分類し、原因毎に異常発生履歴を残すものとする。
【００２７】
また、定着装置２８は、サーミスタの断線検知や温度制御異常を検知する。そして、デジタルカラー複写機１は、異常が発生した際、サービスマンコール警告を図示しない操作パネルの画面上に表示し、プリント動作を中断する。そして、デジタルカラー複写機１は、異常を引き起こした原因を分類し、原因毎に異常発生履歴を残すものとする。なお、定着装置２８において異常が発生した場合には、サービスマンしかプリント動作の中断を解除することができないものとする。よって、ユーザが、デジタルカラー複写機１の電源のオン／オフを繰り返しても、正常状態に復帰することができないものとする。
【００２８】
サービスマンは、画像形成部２０または定着装置２８が有するユニットまたは部品において発生した異常発生履歴を参照してメンテナンス作業を行う。
【００２９】
また、ユニットまたは部品がその部品寿命を超えることによって発生する異常は、各ユニットまたは部品の部品使用履歴を記録しておくことによって回避する。具体的には、給紙部２、原稿搬送部３、画像形成部２０等の各周辺機器が有するユニットや部品の部品寿命（例えば、プリント枚数、作像回数、動作時間、駆動距離など）を予め設定する。そして、各ユニットまたは部品の使用履歴（例えば、プリント枚数のカウンタなど）が、部品寿命を超えた場合には、デジタルカラー複写機１を動作不可にする。若しくは、各ユニットまたは部品のメンテナンス作業を促す警告メッセージを図示しない操作パネル上に表示する。サービスマンは、デジタルカラー複写機１が動作不可または図示しない操作パネルに警告メッセージが表示されると、各ユニットまたは部品の部品使用履歴を参照してメンテナンス作業を行う。
【００３０】
なお、警告メッセージは、デジタルカラー複写機１がプリンタ機能を有している場合、ホストＰＣの画面上に表示することも可能である。ユーザは、警告メッセージが表示された場合、サービスステーションに連絡してサービスマンによるユニットまたは部品のメンテナンスを依頼する。サービスマンは、該当するユニットまたは部品をデジタルカラー複写機１から取り外す。そして、サービスマンは、新たなユニットまたは部品が用意されている場合、当該新しいユニットまたは部品をデジタルカラー複写機１に取り付ける。なお、同じユニットの中に部品寿命が異なる部品が存在している場合には、部品寿命が短い部品に合わせてユニットの部品寿命を決定するものとする。
【００３１】
本実施の形態にかかるデジタルカラー複写機１は、上述した給紙部２、原稿搬送部３、画像形成部２０等、メンテナンスが必要なユニットまたは部品を有する周辺機器をメンテナンスするメンテナンスモードを有する。そして、デジタルカラー複写機１は、メンテナンスモードに移行した場合、周辺機器を制御するエンジン制御基板への電源供給を遮断する。これにより、周辺機器が有するユニットまたは部品のメンテナンス作業の作業性の向上および当該ユニットまたは部品を脱着する際の安全性の向上を図るものである。
【００３２】
以下、メンテナンスモード、または待機状態において省電力化を図る省エネルギーモードに移行する場合におけるデジタルカラー複写機１の特長的な処理を実現する構成および処理手順について詳細に説明する。
【００３３】
図２、本実施の形態にかかるデジタルカラー複写機のエレキシステム構成を示すブロック図である。本実施の形態にかかるデジタルカラー複写機１のエレキシステム構成は、大別すると、システム制御基板２０１、エンジン制御基板２０２、および電源供給ユニット（本発明にかかる電源供給部）２０３を備えて構成される。なお、システム制御基板２０１とエンジン制御基板２０２とは、ＰＣＩバス２２２を介して接続されている。
【００３４】
電源供給ユニット２０３は、システム制御基板２０１とエンジン制御基板２０２とが独立しているため、各基板への電源供給の導通／遮断を実行する。
【００３５】
エンジン制御基板２０２は、周辺機器を制御する。本実施の形態では、原稿搬送部３や原稿読み取り部２３等からなるスキャナ機構、画像形成部２０等からなるプリント機構、および画像処理機構を制御する。
【００３６】
ここで、エンジン制御基板２０２の具体的な構成について説明する。エンジン制御基板２０２は、エンジンメイン制御部２０４、ＣＣＤ制御部２０５、画像処理部２０６、およびＬＤ制御部２０７を備えて構成される。
【００３７】
ＣＣＤ制御部２０５は、エンジンメイン制御部２０４の命令を受け、原稿読み取り部２３が有するＣＣＤ（Charge Coupled Devices）イメージセンサにより原稿のイメージを画像データに変換する処理を制御する。本実施の形態にかかるＣＣＤ制御部２０５は、原稿読み取り用のハードウェア要素を有する画像読み取り用途向けのＩＣ（Integrated Circuit）であるＡＳＩＣ（Application Specific Integrated Circuit）２０８を備え、ＡＳＩＣ２０８によりＣＣＤイメージセンサを制御する。
【００３８】
画像処理部２０６は、ＣＣＤ制御部２０５によって変換された画像データに対して、エンジンメイン制御部２０４の命令を受け、γ補正やＭＴＦ補正処理等を施した後、スライス処理やディザ処理のような階調処理を施して２値（または多値）化処理を施す。また、画像処理部２０６は、ユーザが設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）などを行う。なお、画像処理部２０６は、画像処理用のハードウェア要素を有する画像処理用途向けのＩＣであるＡＳＩＣ２０９を備え、ＡＳＩＣ２０９により上述の処理を実行する。
【００３９】
ＬＤ制御部２０７は、エンジンメイン制御部２０４の命令を受け、露光装置７が備える露光部（ＬＤ：Laser Diode）による感光体ドラム表面上への静電潜像の形成を制御する。なお、ＬＤ制御部２０７は、ＣＣＤ制御部２０５および画像処理部２０６と同様、ＬＤ制御用のハードウェア要素を有するＬＤ制御用途向けのＩＣであるＡＳＩＣ２１０を備え、ＡＳＩＣ２１０により露光部を制御する。
【００４０】
エンジンメイン制御部２０４は、エンジン制御基板２０２が備える各部、およびセンサ、ファン、ペルチェ、アクチュエータなどの周辺機器の制御を行うものである。本実施の形態にかかるエンジンメイン制御部２０４は、ＣＰＵ（Central Processing Unit）２１２と、ＲＯＭ（Read Only Memory）２１３と、ＲＡＭ（Random Access Memory）２１４と、ＡＳＩＣ２１１と、ＮＶ−ＲＡＭ（Non Volatile RAM）２２４と、を有している。
【００４１】
ＡＳＩＣ２１１は、エンジン制御用のハードウェア要素を有するエンジン制御用途向けのＩＣであり、原稿読み取り部（スキャナ）２３、画像形成部（プロッタ）２０、給紙部２、原稿搬送部３等の周辺機器の動作を制御する。
【００４２】
ＣＰＵ２１２は、エンジンメイン制御部２０４の主要部であって各部を集中的に制御する。このＣＰＵ２１２には、ＢＩＯＳなどを記憶した読出し専用メモリであるＲＯＭ２１３と、各種データを書換え可能に記憶するＲＡＭ２１４と、電源を切っても記憶内容を保持することができるＮＶ−ＲＡＭ２２３と、が図示しないバスで接続されている。
【００４３】
ＲＡＭ２１４は、各種データを書換え可能に記憶する性質を有していることから、ＣＰＵ２１２の作業エリアとして機能してバッファ等の役割を果たす。
【００４４】
ＲＯＭ２１３は、この発明の記憶媒体を実施するものであり、ＯＳ（Operating System）や各種のプログラムが記憶されている。
【００４５】
ＮＶ−ＲＡＭ２２３は、各種のプログラムやデータを格納する記憶媒体を実施する半導体メモリ（例えば、フラッシュメモリ）である。
【００４６】
なお、記憶媒体としては、ＲＯＭ２１３のみならず、ＣＤ−ＲＯＭ、ＤＶＤなどの各種光ディスク、各種光磁気ディスク、フレキシブルディスクなどの各種磁気ディスク等、半導体メモリ等の各種方式のメディアを用いることができる。また、図示しないネットワークＩ／Ｆを介してインターネットなどのネットワークからプログラムをダウンロードし、ＮＶ−ＲＡＭ２２３にインストールするようにしてもよい。この場合に、送信側のサーバでプログラムを記憶している記憶装置も、この発明の記憶媒体である。なお、プログラムは、所定のＯＳ上で動作するものであってもよいし、その場合に後述の各種処理の一部の実行をＯＳに肩代わりさせるものであってもよいし、所定のアプリケーションソフトやＯＳなどを構成する一群のプログラムファイルの一部として含まれるものであってもよい。
【００４７】
このエンジンメイン制御部２０４全体を制御するＣＰＵ２１２は、この基板の主記憶装置として使用されるＲＯＭ２１３に記憶されたプログラムに基づいて各種処理を実行する。
【００４８】
次に、エンジンメイン制御部２０４のＲＯＭ２１３に記憶されている各種のプログラムがＣＰＵ２１２に実行させる機能のうち、デジタルカラー複写機１がメンテナンスモードまたは省エネルギーモードに移行する場合におけるエンジンメイン制御部２０４が備える特長的な機能について説明する。
【００４９】
図３は、エンジンメイン制御部２の機能構成を示すブロック図である。図４は、省エネルギーモードに移行する場合にエンジンメイン制御部において実行される処理の手順を示すフローチャートである。図５は、メンテナンスモードに移行する場合にエンジンメイン制御部において実行される処理の手順を示すフローチャートである。図３に示すように、エンジンメイン制御部２０４は、ＲＯＭ２１３に記憶されたプログラムに従うことにより、受信部３０１、オン／オフ制御部３０２、および通知部３０３を実現する。
【００５０】
受信部３０１は、デジタルカラー複写機１がメンテナンスモードまたは省エネルギーモードに移行する場合、システム制御基板２０１から省エネルギーモードへの移行要求（以下、省エネルギーモード移行要求とする）を受信する（ステップＳ４０１、ステップＳ５０１）。本実施の形態では、ＰＣＩバス２２２を介してシステム制御基板２０１から送信された省エネルギーモード移行要求を受信する。
【００５１】
オン／オフ制御部３０２は、受信部３０１によりシステム制御基板２０１から送信された省エネルギーモード移行要求を受信すると、周辺機器の電源をオフする（ステップＳ４０１〜ステップＳ４０４、ステップＳ５０２〜ステップＳ５０４）。本実施の形態では、エンジンメイン制御部２０４に接続されている図示しない各種アクチュエータ、定着装置２８が有する図示しない定着ヒータやパワーリレーなどの電源をオフして、エンジンメイン制御部２０４の電源供給が遮断されても良い状態にする。
【００５２】
通知部３０３は、オン／オフ制御部３０２によって周辺機器の電源がオフされると、システム制御基板２０２に対して省エネルギーモードへの移行が完了したことを通知（以下、省エネルギーモード移行完了通知とする）する（ステップＳ４０５、ステップＳ５０５）。本実施の形態では、ＰＣバス２２２を介してシステム制御基板２０１に対して省エネルギーモード移行完了通知を送信する。
【００５３】
以上の構成および処理により、エンジンメイン制御部２０４は、メンテナンスモードまたは省エネルギーモードへの移行を実行する。本実施の形態によれば、メンテナンスモードに移行する場合に実行される処理と、省エネルギーモードに移行する場合に実行される処理と、が全く同じであるため、上述の構成および処理を実現するプログラムを１つＲＯＭ２１３が記憶していればよい。つまり、エンジンメイン制御部２０４は、省エネルギーモードにかかるプログラムをＲＯＭ２１３が記憶していれば、新たなプログラムにより制御を追加することなく、メンテナンスモードにかかる制御を実現することができる。
【００５４】
システム制御基板２０１は、図示しない操作パネル（本発明にかかる表示部）を制御して周辺機器が有するユニットまたは部品のメンテナンスマニュアルを操作パネルに表示する操作パネル制御部２１６（本発明にかかる表示制御手段）を備える。また、本実施の形態にかかるシステム制御基板２０１は、デジタルカラー複写機１全体の動作を制御するコントローラ２０１を備えている。
【００５５】
コントローラ２１５は、ＡＳＩＣ２１７、ＣＰＵ２１８、ＲＯＭ２１９、ＲＡＭ２２０、およびＮＶ−ＲＡＭ２２１を備えて構成される。
【００５６】
ＡＳＩＣ２１７は、システム制御用のハードウェア要素を有するシステム制御用途向けのＩＣであり、デジタルカラー複写機１全体の動作を制御する。
【００５７】
ＣＰＵ２１８は、コントローラ２１５の主要部であって各部を集中的に制御する。このＣＰＵ２１８には、ＢＩＯＳなどを記憶した読出し専用メモリであるＲＯＭ２１９と、各種データを書換え可能に記憶するＲＡＭ２２０と、電源を切っても記憶内容を保持することができるＮＶ−ＲＡＭ２２１と、が図示しないバスで接続されている。
【００５８】
ＲＡＭ２２０は、各種データを書換え可能に記憶する性質を有していることから、ＣＰＵ２１８の作業エリアとして機能してバッファ等の役割を果たす。
【００５９】
ＲＯＭ２１９は、この発明の記憶媒体を実施するものであり、ＯＳや各種のプログラムが記憶されている。
【００６０】
ＮＶ−ＲＡＭ２２１は、各種のプログラムやデータを格納する記憶媒体を実施する半導体メモリ（例えば、フラッシュメモリ）である。
【００６１】
なお、記憶媒体としては、ＲＯＭ２１９のみならず、ＣＤ−ＲＯＭ、ＤＶＤなどの各種光ディスク、各種光磁気ディスク、フレキシブルディスクなどの各種磁気ディスク等、半導体メモリ等の各種方式のメディアを用いることができる。また、デジタルカラー複写機１がカードスロットを有している場合には、カードメディア等を記憶媒体として用いることができる。また、図示しないネットワークＩ／Ｆを介してインターネットなどのネットワークからプログラムをダウンロードし、ＮＶ−ＲＡＭ２２１にインストールするようにしてもよい。この場合に、送信側のサーバでプログラムを記憶している記憶装置も、この発明の記憶媒体である。なお、プログラムは、所定のＯＳ上で動作するものであってもよいし、その場合に後述の各種処理の一部の実行をＯＳに肩代わりさせるものであってもよいし、所定のアプリケーションソフトやＯＳなどを構成する一群のプログラムファイルの一部として含まれるものであってもよい。
【００６２】
このコントローラ２１５を制御するＣＰＵ２１８は、この基板の主記憶装置として使用されるＲＯＭ２１９に記憶されたプログラムに基づいて各種処理を実行する。
【００６３】
次に、コントローラ２１５のＲＯＭ２１９に記憶されている各種のプログラムがＣＰＵ２１８に実行させる機能のうち、デジタルカラー複写機１がメンテナンスモードまたは省エネルギーモードに移行する場合における本実施の形態にかかるコントローラ２１８が備える特長的な機能について説明する。
【００６４】
図６は、省エネルギーモードに移行する場合にコントローラにおいて実行される処理の手順を示すフローチャートである。図７は、メンテナンスモードに移行する場合にコントローラにおいて実行される処理の手順を示すフローチャートである。コントローラ２１５は、ＲＯＭ２１９に記憶されたプログラムに従うことにより、制御部を実現する。
【００６５】
制御部は、デジタルカラー複写機１がメンテナンスモードに移行する場合、電源供給ユニット２０３を制御して、エンジン制御基板２０２への電源供給を遮断する。なお、デジタルカラー複写機１がメンテナンスモードに移行する場合、制御部は、電源供給ユニット２０３からシステム制御基板２０１への電源供給は維持するものとする。また、制御部は、デジタルカラー複写機１が省エネルギーモードに移行する場合、メンテナンスモードに移行する場合と同様にして、電源供給ユニット２０３を制御して、エンジン制御基板２０２への電源供給を遮断する。
【００６６】
以下、メンテナンスモードまたは省エネルギーモードに移行する場合における制御部６００が有する各部の具体的な処理について説明する。
【００６７】
制御部は、デジタルカラー複写機１が省エネルギーモード（またはメンテナンスモード）に移行するか否かを判定する（ステップＳ６０１、ステップＳ７０１）。本実施の形態では、図示しない操作パネルが有する専用キーがユーザにより押下されたか否かを監視することにより、省エネルギーモードに移行するか否かを判定する。また、本実施の形態では、デジタルカラー複写機１を操作する図示しない操作パネル（本発明にかかる操作部）に対して特定の操作が行われた場合に、メンテナンスモードに移行する。例えば、図示しない操作パネルが有するある２つのキーを同時に３秒以上押し続けた場合にメンテナンスモードに移行することも可能である。つまり、メンテナンスモードは、サービスマンしか移行させることができないようにする必要がある。そのため、省エネルギーモードに移行する場合のように専用キーを設けずに、メンテナンスモードに移行する必要がある。
【００６８】
次に、制御部は、省エネルギーモードに移行する場合、エンジン制御基板２０２、図示しない各種アプリケーション、および操作パネル制御部２１６に省エネルギーモード移行要求を送信する（ステップＳ６０２）。本実施の形態では、ＰＣＩバス２２２を介してエンジン制御基板２０２に省エネルギーモード移行要求を送信する。また、本実施の形態では、操作パネル制御部２１６に対して省エネルギーモード移行要求を送信することにより、図示しない操作パネルの電源をオフする。
【００６９】
一方、制御部は、メンテナンスモードに移行する場合、エンジン制御基板２０２だけに省エネルギーモード移行要求を送信する（ステップＳ７０２）。本実施の形態では、ＰＣＩバス２２２を介してエンジン制御基板２０２だけに省エネルギーモード移行要求を送信する。そして、制御部は、送信した省エネルギーモード移行要求に対する各部からの省エネルギーモード移行完了通知の受信を待つ（ステップＳ６０３、ステップＳ７０３）。
【００７０】
次に、制御部は、省エネルギーモード移行要求の全ての送信先から省エネルギーモード移行完了通知を受信するまで待機する（ステップＳ６０３：Ｎｏ、ステップＳ７０３：Ｎｏ）。本実施の形態では、省エネルギーモードに移行する場合、省エネルギーモード移行要求を送信した全ての相手（エンジン制御基板２０２、図示しない各種アプリケーション、操作パネル制御部２１６）から省エネルギーモード移行完了通知を受信する（ステップＳ６０３：Ｙｅｓ）。一方、制御部は、メンテナンスモードに移行する場合、省エネルギーモード移行要求を送信したエンジン制御基板２０２から省エネルギーモード移行完了通知を受信する（ステップＳ７０３：Ｙｅｓ）。
【００７１】
制御部は、省エネルギーモード移行完了通知を受信すると、電源供給ユニット２０３からエンジン制御基板２０２への電源供給を遮断する。省エネルギーモードに移行する場合、制御部は、全ての相手から省エネルギーモード移行完了通知を受信した後、電源供給ユニット２０３にエンジン制御基板２０２への電源供給の遮断を指示する（ステップＳ６０４）。一方、メンテナンスモードに移行する場合、制御部は、エンジン制御基板２０２から省エネルギーモード移行完了通知を受信した後、電源供給ユニット２０３にエンジン制御基板２０２への電源供給の遮断を指示する（ステップＳ７０４）。
【００７２】
以上の処理により、コントローラ２１５は、メンテナンスモードに移行した場合、電源供給ユニット２０３からエンジン制御基板２０２への電源供給を遮断する。
【００７３】
操作パネル制御部２１６は、コントローラ２１５から送信された省エネルギーモード移行要求に応じて、図示しない操作パネルをオフする。また、操作パネル制御部２１６は、操作パネルへのメンテナンスマニュアルの表示処理を制御する。本実施の形態では、ＮＶ−ＲＡＭ２２１に予め記憶されたマニュアルのデータを参照して、操作パネルへのメンテナンスマニュアルの表示処理を行うものとする。
【００７４】
なお、メンテナンスマニュアルには、「どこにどのような部品があるか」などの図面が掲載されていることが多い。よって、コントローラ２１５内部のＮＶ−ＲＡＭ２２１だけではマニュアルデータの記憶容量が足りない場合がある。その場合には、デジタルカラー複写機１が有する図示しないカードスロットに接続されたデータカードからマニュアルデータを取得し、取得したマニュアルデータを参照して操作パネルへのメンテナンスマニュアルの表示処理を行ってもよい。これにより、ＮＶ−ＲＡＭ２２１にマニュアルデータを記憶しておく必要がなくなるので、マニュアルデータとして操作パネル表示部２１６が利用できる容量の制限が緩和され、かつマニュアルデータの更新が容易になる。
【００７５】
また、マニュアルデータを記憶する記憶媒体は、データカードに限定するものではない。例えば、コントローラ２１５が光学ディスクドライブを接続可能な外部Ｉ／Ｆ（例えば、ＵＳＢ、ＩＥＥＥ１３９４など）を有している場合には、光ディスクドライブによりマニュアルデータが格納された光ディスク（例えば、ＣＤ、ＤＶＤ）を読み取ることによりマニュアルデータを取得してもよい。なお、光ディスクの容量は、マニュアルデータの容量に応じて選択するものとする。これにより、ＮＶ−ＲＡＭ２２１にマニュアルデータを記憶しておく必要がなくなるので、マニュアルデータとして操作パネル表示部２１６が利用できる容量の制限が緩和される。
【００７６】
また、コントローラ２１５が外部ハードディスクを接続可能な外部Ｉ／Ｆを有している場合には、外部ハードディスクからマニュアルデータを取得することも可能である。これにより、ＮＶ−ＲＡＭ２２１にマニュアルデータを記憶しておく必要がなくなるので、マニュアルデータとして操作パネル表示部２１６が利用できる容量の制限が緩和される。
【００７７】
さらに、コントローラ２１５がインターネット等のネットワークに接続可能なネットワークＩ／Ｆを有している場合には、ネットワーク上の外部データベースサーバにアクセスして、当該外部データベースサーバからマニュアルデータを取得してもよい。これにより、ＮＶ−ＲＡＭ２２１にマニュアルデータを記憶しておく必要がなくなるので、マニュアルデータとして操作パネル表示部２１６が利用できるデータの容量の制限が緩和され、かつ常に最新のマニュアルデータを取得することができる。
【００７８】
このように、本実施の形態にかかるデジタルカラー複写機１によれば、メンテナンスモードに移行する場合、電源供給ユニット２０３からエンジン制御基板２０２への電源供給を遮断することにより、メンテナンス作業が行われる場合に、周辺機器を制御するエンジン制御基板への電源供給を遮断し、かつ表示部にメンテナンスマニュアルを表示することができるので、活線挿抜による部品の損傷・破壊などを回避しつつ、メンテナンス作業の作業性を向上させることができる。
【００７９】
（第２の実施の形態）
第２の実施の形態について、添付図面を参照して説明する。本実施の形態にかかるデジタルカラー複写機の機能、構成は、第１の実施の形態とほぼ同一であるため、第１の実施の形態と異なる部分のみを説明する。本実施の形態にかかるデジタルカラー複写機は、メンテナンスが必要なユニットまたは部品のメンテナンスマニュアルを表示する。これにより、サービスマンが図示しない操作パネルに表示されたメンテナンスマニュアルの目次からメンテナンスが必要なユニットまたは部品のメンテナンスマニュアルを検索することなく、メンテナンスが必要なユニットまたは部品のメンテナンスマニュアルが順次表示されるので、メンテナンス作業の作業性を向上させることができる。
【００８０】
操作パネル制御部２１６は、交換する必要があるユニットまたは部品のメンテナンスマニュアルを図示しない操作パネルに表示する。システム制御基板２０１は、周辺機器情報をＮＶ−ＲＡＭ２２１に記憶する（本発明にかかる第１不揮発性メモリ）。本実施の形態では、ＮＶ−ＲＡＭ２２１に記憶された周辺機器情報を参照してメンテナンスが必要なユニットまたは部品のメンテナンスマニュアルを操作パネルに表示する。
【００８１】
ここで、周辺機器情報とは、例えば、上述した「転写紙ジャム」発生履歴、「原稿ジャム」発生履歴、異常発生履歴、および部品使用履歴である。本実施の形態では、制御部がＮＶ−ＲＡＭ２２１に格納される履歴ごとの変数（カウンタ）を、「転写ジャム」発生、「原稿ジャム」発生、異常発生、ユニットまたは部品使用に同期してカウントアップすることにより、「転写ジャム」発生履歴、「原稿ジャム」発生履歴、異常発生履歴、および部品使用履歴等の周辺機器情報をＮＶ−ＲＡＭ２２１において管理する。なお、部品使用履歴は、エンジン制御基板２０２においてユニットまたは部品が使用される毎にエンジン制御基板２０２から送信される更新要求に応じて、制御部によりカウントアップされるものとする。これらの履歴はシステム制御基板２０１において管理されるため、メンテナンスモードに移行した場合であっても、操作パネル制御部２１６は、周辺機器情報を参照することができる。
【００８２】
本実施の形態にかかる操作パネル制御部２１６は、これらの履歴を参照して、ＮＶ−ＲＡＭ２２１に格納されたマニュアルデータの中からメンテナンスが必要なユニットまたは部品のマニュアルデータを取得し、取得したマニュアルデータが示すメンテナンスマニュアルを図示しない操作パネルに表示する。なお、ＮＶ−ＲＡＭ２２１に格納されたマニュアルデータは、周辺機器が有するユニットまたは部品ごとに記憶されているものとする。
【００８３】
図８は、メンテナンスマニュアルを表示するまでの処理の手順を示すフローチャートである。本実施の形態にかかる操作パネル制御部２１６は、まず、「転写ジャム」発生履歴および「原稿ジャム」発生履歴があるか否かを判断する（ステップＳ８０１）。具体的には、不揮発性メモリ２２１に格納された「転写ジャム」発生履歴を示す変数および「原稿ジャム」発生履歴を示す変数が１または所定値以上であるか否かにより、当該「転写ジャム」発生履歴および「原稿ジャム」発生履歴がある否かを判断する。
【００８４】
次に、操作パネル制御部２１６は、「転写ジャム」発生履歴または「原稿ジャム」発生履歴があると判断された場合（ステップＳ８０１：Ｙｅｓ）、「転写ジャム」または「原稿ジャム」の原因となっているユニットまたは部品を判定する（ステップＳ８０２）。本実施の形態では、「転写ジャム」発生履歴および「原稿ジャム」発生履歴を、「原稿ジャム」および「転写ジャム」の原因ごとに管理している。そのため、操作パネル制御部２１６は、予めＮＶ−ＲＡＭ２２１等に格納された「転写ジャム」および「原稿ジャム」の原因と、ユニットまたは部品と、を対応付けるテーブルを用いて、「転写ジャム」および「原稿ジャム」の原因となっているユニットまたは部品を判定する。なお、「転写ジャム」発生履歴および「原稿ジャム」発生履歴がないと判断された場合には（ステップＳ８０１：Ｎｏ）、「転写ジャム」および「原稿ジャム」の原因となっているユニットまたは部品の判定は行わない。
【００８５】
次に、操作パネル制御部２１６は、異常発生履歴があるか否かを判断する（ステップＳ８０３）。具体的には、不揮発性メモリ２２１に格納された異常発生履歴を示す変数が１または所定値以上であるか否かにより、当該異常発生履歴があるか否かを判断する。そして、操作パネル制御部２１６は、異常発生履歴があると判断された場合（ステップＳ８０３：Ｙｅｓ）、異常発生の原因となっているユニットまたは部品を判定する（ステップＳ８０４）。本実施の形態では、異常発生履歴を原因ごとに管理している。そのため、操作パネル制御部２１６は、予めＮＶ−ＲＡＭ２２１等に格納された異常発生の原因と、ユニットまたは部品と、を対応付けるテーブルを用いて、異常発生の原因となっているユニットまたは部品を判定する。なお、異常発生履歴がないと判断された場合には（ステップＳ８０３：Ｎｏ）、異常発生の原因となっているユニットまたは部品の判定は行わない。
【００８６】
次に、操作パネル制御部２１６は、部品使用履歴が部品寿命を超えているか否かにより、部品寿命を超えているものがあるか否かを判断する（ステップＳ８０５）。具体的には、不揮発性メモリ２２１に格納された部品使用履歴を示す変数が部品寿命を超えているか否かを判断する。そして、操作パネル制御部２１６は、部品寿命を超えているものがあると判断された場合（ステップＳ８０５：Ｙｅｓ）、部品寿命を超えている部品を判定する（ステップＳ８０６）。本実施の形態では、部品使用履歴を部品ごとに管理しているため、部品使用履歴を示す変数が部品寿命を超えている部品を、部品寿命を超えている部品として判定する。なお、部品寿命を超えているものがないと判定された場合（ステップＳ８０５：Ｎｏ）、部品寿命を超えているユニットまたは部品の判定は行わない。
【００８７】
次いで、操作パネル制御部２１６は、以上の処理により「転写ジャム」の原因、「原稿ジャム」の原因、異常発生の原因、または部品寿命に達していると判定された部品があるか否かを判断する（ステップＳ８０７）。そして、操作パネル制御部２１６は、「転写ジャム」の原因、「原稿ジャム」の原因、異常発生の原因、または部品寿命に達していると判定された部品があると判断された場合（ステップＳ８０７：Ｙｅｓ）、当該部品のマニュアルデータをＮＶ−ＲＡＭ２２１から取得し、取得したマニュアルデータが示すメンテナンスマニュアルを図示しない操作パネルに表示する（ステップＳ８０８）。一方、「転写ジャム」の原因、「原稿ジャム」の原因、異常発生の原因、または部品寿命に達していると判定された部品がないと判断された場合には、メンテナンスマニュアルの表示は行わずに終了する。
【００８８】
なお、操作パネル制御部２１６は、複数のユニットまたは部品のマニュアルデータをＮＶ−ＲＡＭ２２１から取得した場合、サービスマンによる図示しない操作パネルの操作に応じて操作パネルに順次マニュアルデータが示すメンテナンスマニュアルを表示していくものとする。サービスマンは、操作パネルを操作して、各ユニットまたは部品のメンテナンス作業が終了するごとに操作パネルに表示されたメンテナンスマニュアルを切り替えるものとする。ただし、次のメンテナンスマニュアルに進むか否か、または一部のメンテナンスマニュアルをスキップするか否かの判断は、サービスマンが選択することができる。
【００８９】
なお、制御部は、周辺機器が有するユニットまたは部品がメンテナンスされた場合、ＮＶ−ＲＡＭ２２１に記憶された当該周辺機器の周辺機器情報を更新する。本実施の形態では、ＮＶ−ＲＡＭ２２１に格納されたメンテナンスされたユニットまたは部品に対応する「転写ジャム」発生履歴、「原稿ジャム」発生履歴、異常発生履歴、および部品使用履歴の変数を０に戻す。
【００９０】
なお、ユニットまたは部品のメンテナンスが行われたか否かは、サービスマンによって図示しない操作パネルからメンテナンスしたユニットまたは部品ごとに入力されるものとする。コントローラ２１５は、サービスマンによって入力されたユニットまたは部品が関わる全ての履歴の変数を０に戻すものとする。
【００９１】
例えば、給紙部２から転写紙Ｐができないことによる「転写紙ジャム」が多発したことにより、該当給紙部２が有する給紙トレイ２２の給紙コロ・ローラなどの交換を行った場合、制御部は、給紙トレイ２２の「転写紙ジャム」発生履歴を自動的に０にする。
【００９２】
もう１つの例として、ブラックの感光体２６Ｋの部品使用履歴が部品寿命を超えていたことにより、該当部品の交換を行った場合、制御部は、感光体２６Ｋの部品使用履歴を０にする。また、部品単品ではなくＰＣＵ(感光体ユニット)を交換した場合、制御部は、そのユニットの部品使用履歴、およびそのユニットに含まれる全ての部品の部品使用履歴を０にする。これにより、サービスマンが履歴を更新する必要がないため、履歴の更新し忘れを防止することができる。
【００９３】
このように、本実施の形態にかかるデジタルカラー複写機１によれば、メンテナンスが必要なユニットまたは部品のメンテナンスマニュアルを表示することにより、サービスマンが図示しない操作パネルに表示されたメンテナンスマニュアルの目次からメンテナンスが必要なユニットまたは部品のメンテナンスマニュアルを検索することなく、メンテナンスが必要なユニットまたは部品のメンテナンスマニュアルが順次表示されるので、メンテナンス作業の作業性を向上させることができる。
【００９４】
また、メンテナンスマニュアルを表示する際に参照する周辺機器情報をシステム制御基板２０１のＮＶ−ＲＡＭ２２１に記憶しておくことにより、エンジン制御基板２０２への電源供給が遮断されても、操作パネル制御部２１６は、システム制御基板２０１のＮＶ−ＲＡＭ２２１から周辺機器情報を取得することができるので、メンテナンスモードに移行しても、周辺機器情報にアクセスすることができる。
【００９５】
（第３の実施の形態）
第３の実施の形態について、添付図面を参照して説明する。本実施の形態にかかるデジタルカラー複写機の機能、構成は、第２の実施の形態とほぼ同一であるため、第２の実施の形態と異なる部分のみを説明する。本実施の形態にかかるデジタルカラー複写機１は、周辺機器情報のうち周辺機器が有するユニットまたは部品の部品使用履歴をエンジン制御基板２０２の不揮発性メモリ２２３に記憶し、操作パネル制御部２１６は不揮発性メモリ２２３に記憶された部品使用履歴を参照してメンテナンスが必要なユニットまたは部品のメンテナンスマニュアルを図示しない操作パネルに表示する。
【００９６】
図９は、エンジンメイン制御部の機能構成を示すブロック図である。本実施の形態にかかるエンジンメイン制御部９０１は、ＲＯＭ２１３に記憶されたプログラムに従うことにより、図３に示す構成に加えて、更新部９０２を実現する。
【００９７】
なお、本実施の形態にかかるＮＶ−ＲＡＭ２２３（本発明にかかる第２不揮発性メモリ）は、部品使用履歴を記憶する。
【００９８】
更新部９０２は、ＮＶ−ＲＡＭ２２３に格納される部品使用履歴の変数（カウンタ）を、ユニットまたは部品使用に同期してカウントアップすることにより、部品使用履歴を管理するものとする。なお、ＮＶ−ＲＡＭ２２３に記憶される部品使用履歴は、メンテナンスモードに移行する場合に、通知部３０３によってシステム制御基板２０１に通知される。
【００９９】
操作パネル制御部２１６は、ＮＶ−ＲＡＭ２２３に記憶された部品使用履歴を参照してメンテナンスが必要なユニットまたは部品のメンテナンスマニュアルを図示しない操作パネルに表示する。本実施の形態では、メンテナンスモードに移行する際に、エンジン制御基板２０２から送信された部品使用履歴を一旦ＮＶ−ＲＡＭ２２１に格納し、格納された当該部品使用履歴を参照してメンテナンスが必要なユニットまたは部品のメンテナンスマニュアルを操作パネルに表示する。
【０１００】
つまり、「転写ジャム」発生履歴、「原稿ジャム」発生履歴、および異常発生履歴は、それらが発生した場合にのみ更新すれば良いが、部品使用履歴は、該当するユニットまたは部品が使用された際に更新する必要がある。第２の実施の形態のように、部品使用履歴をコントローラ制御基板２０１上のＮＶ−ＲＡＭメモリ２２１に記憶した場合、上述したように、ユニットまたは部品が使用される度にエンジン制御基板２０２からシステム制御基板２０１に更新要求が送信されることになる。特に、コピースピードが速い機械ほどメンテナンスが必要なユニットまたは部品が多くなる傾向にある。よって、それらのユニットまたは部品の部品使用履歴を更新するために更新要求が頻繁に送信されると、システム制御基板２０１において実行される処理の負荷が増大し、そのパフォーマンスに影響を与えることも考えられる。
【０１０１】
そのため、本実施の形態では、部品使用履歴をエンジン制御基板２０２上のＮＶ−ＲＡＭ２２３に格納し、エンジン制御基板２０２とシステム制御基板２０１間の通信負荷を低減させる。これにより、メンテナンスモードに移行する場合、操作パネル制御部２１６によって部品使用履歴が参照される際、エンジン制御基板２０２とシステム制御基板２０１間の通信負荷が増大してしまうが、そのような状況では機械が動作を行っているとは考えられず、またパフォーマンスも要求されないため問題は無い。
【０１０２】
なお、部品使用履歴がエンジン制御基板２０２のＮＶ−ＲＡＭ２２３に記憶されている場合、エンジン制御基板２０２への電源供給が遮断されているメンテナンスモードにおいては、メンテナンスされたユニットまたは部品の部品使用履歴を更新することができない。
【０１０３】
そこで、本実施の形態では、制御部がメンテナンスされたユニットまたは部品のメンテナンス情報をＮＶ−ＲＡＭ２２１（本発明にかかる第１不揮発性メモリ）に記憶する。ここで、メンテナンス情報とは、メンテナンスされたユニットまたは部品にナンバリングされた番号などの識別情報である。本実施の形態では、メンテナンスモード終了後、エンジン制御基板２０２への電源供給が導通された際に、制御部がＮＶ−ＲＡＭ２２１に記憶されたメンテナンス情報を、ＰＣＩバス２２２を介してエンジン制御基板２０２に送信する。
【０１０４】
そして、更新部９０２が、ＮＶ−ＲＡＭ２２１に記憶されたメンテナンス情報を参照して、ＮＶ−ＲＡＭ２２３に記憶された部品使用履歴を更新する。本実施の形態では、ＰＣＩバス２２２を介してシステム制御基板２０１から受信したメンテナンス情報により特定されるユニットまたは部品の部品使用履歴を０に更新する。
【０１０５】
このように、本実施の形態にかかるデジタルカラー複写機１によれば、当該デジタルカラー複写機１の動作中に更新が必要な部品使用履歴をエンジン制御基板２０２側で管理することにより、動作中のエンジン制御基板２０２とシステム制御基板２０１間の通信負荷を軽減することができる。また、メンテナンスモード終了後、エンジン制御基板２０２への電源供給が導通された際に、ＮＶ−ＲＡＭ２２１に記憶されたメンテナンス情報を参照して、更新部９０２がＮＶ−ＲＡＭ２２３に記憶される部品使用履歴を更新することができるので、部品使用履歴を更新し忘れることを防止できる。
【図面の簡単な説明】
【０１０６】
【図１】第１の実施の形態にかかるデジタルカラー複写機の概略構成を示す図である。
【図２】第１の実施の形態にかかるデジタルカラー複写機のエレキシステム構成を示すブロック図である。
【図３】エンジンメイン制御部の機能構成を示すブロック図である。
【図４】省エネルギーモードに移行する場合にエンジン制御基板において実行される処理の手順を示すフローチャートである。
【図５】メンテナンスモードに移行する場合にエンジン制御基板において実行される処理の手順を示すフローチャートである。
【図６】省エネルギーモードに移行する場合にコントローラにおいて実行される処理の手順を示すフローチャートである。
【図７】メンテナンスモードに移行する場合にコントローラにおいて実行される処理の手順を示すフローチャートである。
【図８】メンテナンスマニュアルを表示するまでの処理の手順を示すフローチャートである。
【図９】エンジンメイン制御部の機能構成を示すブロック図である。
【符号の説明】
【０１０７】
１  デジタルカラー複写機
２  給紙部
３  原稿搬送部
４  給紙装置
７  露光装置
２０  画像形成部
２２  給紙トレイ
２３  原稿読み取り部
２４  排紙収納部
２５  中間転写ベルト
２６Ｙ，２６Ｍ，２６Ｃ，２６Ｋ  感光体ドラム
２８  定着装置
３１  コンタクトガラス
３２  原稿台
３３  排紙台
５１  転写ローラ部
５２  レジストローラ部
６２  帯電装置
６３  現像装置
６４  クリーニング装置
２０１  システム制御基板
２０２  エンジン制御基板
２０３  電源供給ユニット
２０４  エンジンメイン制御部
２０５  ＣＣＤ制御部
２０６  画像処理部
２０７  ＬＤ制御部
２０８〜２１１，２１７  ＡＳＩＣ
２１２，２１８  ＣＰＵ
２１３，２１９  ＲＯＭ
２１４，２２０  ＲＡＭ
２１５  コントローラ
２１６  操作パネル制御部
２２１，２２３  ＮＶ−ＲＡＭ
２２２  ＰＣＩバス
３０１  受信部
３０２  オン／オフ制御部
３０３  通知部
【図１】
2009223067.tif 000003
【図２】
2009223067.tif 000004
【図３】
2009223067.tif 000005
【図４】
2009223067.tif 000006
【図５】
2009223067.tif 000007
【図６】
2009223067.tif 000008
【図７】
2009223067.tif 000009
【図８】
2009223067.tif 000010
【図９】
2009223067.tif 000011